(57)【要約】【課題】利用者が機器の筐体に接触している場合の外乱の影響を除去可能な歩数計及び携帯情報機器を提供すること。【解決手段】本歩数計１００であって、利用者の歩行の振動を検出する加速度センサー９と、加速度センサーの検出結果に基づき歩数をカウントし、カウント値に基づき出力歩数を演算する歩数演算部１５と、機器の筐体に対する利用者の接触の有無を検出する導通状態検出回路１１と、を含み、前記歩数演算部１５は、機器の筐体に対する接触が検出された場合には、前記歩行動作の検出結果に基づき歩数をカウントする処理、又はカウント値を出力歩数に反映させる処理を中断する。【選択図】図３
2013214226.tif 000002
【特許請求の範囲】
【請求項１】
利用者が携帯する歩数計であって、
利用者の歩行を検出する歩行検出部と、
前記歩行検出部の検出結果に基づき歩数をカウントし、カウント値に基づき出力歩数を演算する歩数演算部と、
前記歩数計の筐体に対する利用者の接触の有無を検出する接触検出部と、を含み、
前記歩数演算部は、
前記筐体に対する接触が検出された場合には、前記歩行動作の検出結果に基づき歩数をカウントする処理、又はカウント値を出力歩数に反映させる処理を行わない歩数計。
【請求項２】
請求項１において、
前記筐体の外装は、異なる電極に接続された導電性の第１の部材と導電性の第２の部材を含み、
前記接触検出部は、
第１の部材と第２の部材との導通状態を検出する導通状態検出部とを含み、
前記導通状態検出部の検出結果に基づき、前記筐体に対する前記利用者の接触の有無を検出する歩数計。
【請求項３】
請求項１又は２のいずれかにおいて、
前記筐体は略六面体であり、前記略六面体の第１の面と前記第１の面に対向する第２の面とが異なる電極に接続にされている歩数計。
【請求項４】
請求項１乃至３のいずれかにおいて、
前記筐体は略六面体であり、第１の部材と第２の部材が前記略六面体の対向する面に設けられている歩数計。
【請求項５】
請求項１乃至４のいずれかにおいて、
出力歩数を表示する表示部と、
表示部に対する表示制御を行う表示制御部と、を含み、
前記表示制御部は、
前記筐体に対する接触の有無に応じて、表示部への出力歩数の表示の有無を制御する表示制御を行う歩数計。
【請求項６】
請求項１乃至５のいずれかにおいて、
表示部を構成する液晶を背面から照らすバックライトと、
バックライトの照明を制御するバックライト制御部を含み、
前記バックライト制御部は、
前記筐体に対する接触の有無に応じて、バックライト照明点灯の有無、又は照明の強弱の制御を行う歩数計。
【請求項７】
請求項１乃至６のいずれかの歩数計を含む携帯情報機器。
【発明の詳細な説明】
【技術分野】
【０００１】
本発明は、歩数計及び携帯情報機器に関する。
【背景技術】
【０００２】
一般的な歩数計（電子歩数計）は、加速度センサーの計測値を演算処理することで、歩数を算出する事が出来る。係る歩数計には、利用者が衣服のポケット等に入れて携帯するタイプのものがあるが、利用者が歩数等の表示を確認している間や機器の操作を行っている間や確認のためにポケットから取り出している間などは、歩行以外の行動による振動が発生する。この振動は歩数計に外乱振動として計測されてしまい、歩数の計測精度を低下させる要因となっている。
【先行技術文献】
【特許文献】
【０００３】
【特許文献１】特許３４９３５５０号公報
【特許文献２】特開２００９−０９９１０８号公報
【特許文献３】特開２００８−００２８２１号公報
【発明の概要】
【発明が解決しようとする課題】
【０００４】
上記特許文献では、利用者のスイッチ操作が行われた時点から一定時間は加速度センサーの検出値を用いないことで、スイッチ操作による外乱を除去して、歩数計測精度の低下を回避しているので、利用者が機器の操作を行っている間の外乱は除去することができる。しかし利用者がスイッチ操作を行ったときのみしか外乱除去が出来ないため、利用者が表示確認している間や、ポケットから取り出している間などの外乱を除去することが出来ないという問題があった。
【０００５】
本発明は、以上のような問題点に鑑みてなされたものであり、本発明のいくつかの態様によれば、利用者が機器の筐体に接触している場合の外乱の影響を除去可能な歩数計及び携帯情報機器を提供することができる。
【課題を解決するための手段】
【０００６】
（１）本発明は、利用者が携帯する歩数計であって、利用者の歩行を検出する歩行検出部と、前記歩行検出部の検出結果に基づき歩数をカウントし、カウント値に基づき出力歩数を演算する歩数演算部と、機器の筐体に対する利用者の接触の有無を検出する接触検出部と、を含み、前記歩数演算部は、前記筐体に対する接触が検出された場合には、前記歩行動作の検出結果に基づき歩数をカウントする処理、又はカウント値を出力歩数に反映させる処理を行わない歩数計に関する。また本発明は、上記歩数計を含む携帯情報機器に関する。
【０００７】
本発明によれば、利用者が歩数計に接触している場合には、加速度センサーの検出値を出力歩数に反映させないことで、歩行以外の行動の振動による外乱を除去することができる。
【０００８】
（２）この歩数計及び携帯情報機器は、前記筐体の外装は、異なる電極に接続された導電性の第１の部材と導電性の第２の部材を含み、前記接触検出部は、第１の部材と第２の部材との導通状態を検出する導通状態検出部とを含み、導通状態検出部の検出結果に基づき、前記筐体に対する前記利用者の接触の有無を検出してもよい。
【０００９】
この様にすると利用者が第１の部材及び第２の部材に接触していない状態においては、第１の部材と第２の部材を非導通状態に置くことができ、利用者が筐体を把持することで、利用者を介して第１の部材と第２の部材間が導通状態となるので、第１の部材と第２の部材との間の抵抗値により利用者の接触状態を判断することができる。
【００１０】
（３）この歩数計及び携帯情報機器は、前記筐体は略六面体であり、前記略六面体の第１の面と前記第１の面に対向第２の面が異なる電極に接続にされていてもよい。
【００１１】
（４）この歩数計及び携帯情報機器は、前記筐体は略六面体であり、第１の部材と第２の部材が前記略六面体の対向する面に設けられていてもよい。
【００１２】
（５）この歩数計及び携帯情報機器は、出力歩数を表示する表示部と、表示部に対する表示制御を行う表示制御部と、を含み、前記表示制御部は、前記筐体に対する接触の有無に応じて、表示部への出力歩数の表示の有無を制御する表示制御を行ってもよい。
【００１３】
前記表示制御部は、機器の筐体に対する接触が検出された場合には、表示部に出力歩数を表示する表示制御を行うようにしてもよい。
【００１４】
この様にすると、利用者が歩数計を把持している時に、自動的に表示部に出力歩数を表示させることができる。そして利用者が歩数計を把持していない時には、表示部に出力歩数を表示させないようにすることができる。利用者の行動状態に応じて出力歩数の表示を自動的にＯＮ／ＯＦＦすることができるので、利便性と省電力を同時に実現するこことができる。
【００１５】
（６）この歩数計及び携帯情報機器は、表示部を構成する液晶を背面から照らすバックライトと、バックライトの照明を制御するバックライト制御部を含み、前記バックライト制御部は、前記筐体に対する接触の有無に応じて、バックライト照明点灯の有無、又は照明の強弱の制御を行ってもよい。
【００１６】
前記バックライト制御部は、歩数計の筐体に対する接触が検出された場合に、バックライトで液晶を照らす照明制御を行ってもよい。
【００１７】
この様にすると、利用者が歩数計を把持している時に、自動的に表示部のバックライトをＯＮにする、又はバックライトの照明を強くすることができる。そして利用者が歩数計を把持していない時には、表示部のバックライトをＯＦＦにする、又はバックライトの照明を弱くすることができる。利用者の行動状態に応じて表示部のバックライトのＯＮ／ＯＦＦや強弱を自動的に制御することができるので、利便性と省電力を同時に実現することができる。
【図面の簡単な説明】
【００１８】
【図１】本実施形態の歩数計の外観図。
【図２】本実施の形態の機能ブロック図。
【図３】図３（Ａ）（Ｂ）は、利用者が歩数計を把持している様子を示す図。
【図４】導通状態検出回路の一例を示す図。
【図５】本実施の形態の歩数計の構成図。
【図６】本実施の形態のモジュール基板の配置図。
【図７】筐体を構成する第１の部材と第２の部材の他の例を示す図。
【図８】筐体を構成する第１の部材と第２の部材の他の例を示す図。
【図９】筐体を構成する第１の部材と第２の部材の他の例を示す図。
【図１０】本実施形態の携帯情報機器の構成を示す図。
【発明を実施するための形態】
【００１９】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２０】
１．歩数計の構成
本実施の形態では、利用者が歩数計を見たり、機器の操作を行ったり、ポケットから取り出す際には、必ず機器を触ることに着目し、機器を触っている間は、歩行動作検出部（加速度センサー等）の検出値に基づき演算された歩数を出力歩数に反映させないことで、外乱を除去する処理を行っている。
【００２１】
図１は、本実施形態の歩数計の外観図である。
【００２２】
同図に示すように、本実施形態の歩数計（電子歩数計）１００は、利用者が例えば衣服のポケット等にいれて持ち歩くことができるタイプの歩数計である。歩数計１００は、加速度センサー（歩行検出部の一例）を内蔵し、加速度センサーの検出値に基づき利用者の歩数をカウントする。また歩数計はＬＣＤ１８（表示部の一例）を有し、カウントした歩数を表示する。また歩数計１００は、ユーザー操作入力を受け付けるスイッチ１９（操作部の一例）を有している。
【００２３】
一般に歩数計は、搭載された加速度センサーの検出値に基づき利用者の歩数をカウントするため、歩行以外の行動の振動による外乱の影響による誤差が発生する可能性がある。
【００２４】
本実施の形態では、利用者が歩数計に接触している場合には、加速度センサーの検出値を出力歩数に反映させないことで、歩行以外の行動の振動による外乱を除去している。
【００２５】
図２は本実施の形態の歩数計の機能ブロック図である。本実施形態の歩数計は、図２の構成要素（各部）の一部を省略したり、他の構成要素を付加した構成としてもよい。
【００２６】
本実施の形態の歩数計１００は、ＬＣＤ（Liquid Crystal Display：液晶ディスプレイ）１８、加速度センサー９、導通状態検出回路１１、演算処理用コントローラー８、ユーザーインターフェース用のコントローラー１０、ＥＥＰＲＯＭ（Electrically Erasable Programmable Read-Only Memory）１３、発信回路１４、スイッチ１９等を含む。
【００２７】
加速度センサー９は、利用者の歩行を検出する歩行検出部として機能するもので、半導体加速度センサー等を用いて実現することができる。加速度センサー９は３軸の変位加速度（例えば３軸の変位加速度でもよい）を検出して加速度データとして演算制御処理用コントローラー８に送信してもよい。
【００２８】
演算制御処理用コントローラー８は、前記歩行検出部の検出結果に基づき歩数をカウントし、カウント値に基づき出力歩数を演算する歩数演算部１５として機能するもので、ＣＰＵ等を用いて実現することができる。演算制御処理用コントローラー８は、図示しない記憶部等に記憶されているプログラムに従って、各種の計算処理や制御処理を行うようにしてもよい。
【００２９】
導通状態検出回路１１は、歩数計の筐体に対する利用者の接触の有無を検出する接触検出部として機能する。歩数計の筐体の外装を導電性の部材で構成し、筐体の外装を導通状態検出回路１１に接続して、電流値や電圧値、又はその変化によって人がさわったことを検出してもよい。なお、電流値や抵抗値、又はその変化に替えて、静電容量センサー、又は抵抗膜センサー等で筐体への接触を検出してもよい。
【００３０】
歩数演算部１５（演算制御処理用コントローラー８）は、歩数計の筐体（表示面ケース１、本体側ケース４）に対する接触が検出された場合には、前記歩行動作の検出結果に基づき歩数をカウントする処理、又はカウント値を出力歩数に反映させる処理を行わない。歩行動作検出部（加速度センサー等）の検出値に基づき演算された歩数を出力歩数に反映させない期間は、接触が検出されてから所定の期間でも良いし、接触が検出されている期間でもよい。
【００３１】
ＬＣＤ１８は、出力歩数を表示する表示部（例えばＬＣＤ）として機能する。またユーザーインターフェース用のコントローラー１０は、表示部に対する表示制御を行う表示制御部１２として機能する。表示制御部１２は、歩数計の筐体に対する接触の有無に応じて、表示部への出力歩数の表示の有無を制御するもので、歩数計の筐体に対する接触が検出された場合には、表示部（ＬＣＤ２）に出力歩数を表示する制御を行うようにしてもよい。ユーザーインターフェース用のコントローラー１０は、ＥＥＰＲＯＭ１３等に記憶されているプログラムに従って、各種の計算処理や制御処理を行うようにしてもよい。
【００３２】
バックライト２０は、ＬＣＤ１８を背面から照らす。ユーザーインターフェース用のコントローラー１０は、バックライト２０の照明を制御するバックライト制御部１５として機能する。バックライト制御部１７は、歩数計の筐体に対する接触の有無に応じて、バックライト照明点灯の有無、又は照明の強弱を制御するもので、歩数計の筐体に対する接触が検出された場合にバックライトで液晶を照らす照明制御をおこなってもよい。
【００３３】
なおバックライト２０の照明の強弱をコントロールできる場合には、バックライト制御部１７は、歩数計の筐体に対する接触が検出された場合には、検出されない場合に比べてバックライトの照明の強度を強くする制御を行っても良い。またバックライト２０の照明の有無とＬＣＤ表示の有無は連動させてもよいし、連動させなくても良い。例えばＬＣＤ１８に常時出力歩数の表示を行なわせ、歩数計の筐体に対する接触の有無に応じてバックライトの照明の有無だけ変更する構成でもよい。
【００３４】
スイッチ１９は、利用者が操作入力を行うための操作部として機能する。スイッチ１９による利用者の操作入力は、ユーザーインターフェース用のコントローラー１０に送信され、利用者からの操作入力に応じて、演算制御処理用コントローラーとの通信を行いながら歩数計測制御や結果表示を行う。
【００３５】
次に筐体の外装の少なくとも一部を、人が触ると抵抗値が変化するような導電性の材質を有する物質で構成し、導通状態を導通状態検出回路で検出する具体例について説明する。
【００３６】
例えば歩数計の筐体の外装の少なくとも一部を、異なる電極に接続された導電性の第１の部材（例えば表示面ケース１）と導電性の第２の部材（例えば本体側ケース４）で構成し、第１の部材と第２の部材との導通状態を検出する導通状態検出部（例えば導通状態検出回路１１）を設け、導通状態検出部の検出結果に基づき、筐体に対する利用者の接触の有無を検出してもよい。
【００３７】
なお第１の部材及び第２の部材は絶縁状態に置かれていることが好ましい。この様にすると第１の状態（利用者が第１の部材及び第２の部材に接触していない状態）においては、第１の部材と第２の部材を非導通状態に置くことができる。
【００３８】
図３（Ａ）（Ｂ）は、利用者が歩数計を把持している様子を示す図である。
【００３９】
図３（Ａ）に示すように利用者の手２００が歩数計１００を把持している場合には、利用者の手２００は、歩数計の筐体（外装）を構成する表示面側ケース１と本体側ケース４に接触している。このとき図３（Ｂ）に示すように利用者の手２００の一部（例えば親指）は表示面側ケース１に接触し、利用者の手２００の他の一部（例えば親指以外の指）は本体側ケース４に接触している。
【００４０】
同図に示すように、表示面側ケース１と本体側ケース３は、それぞれ極性の異なる電極２１、２２に接続されているので、この様な場合、表示面側ケース１及び本体側ケース４のいずれか一方からいずれか他方（ここでは表示面側ケース１から本体側ケースに）利用者の手２００を介して電流が流れる。従って導通状態検出回路１１は、通電状態を検出する。
【００４１】
このように第１の状態（利用者が第１の部材及び第２の部材に接触していない状態）においては、第１の部材と第２の部材が非導通状態に置かれ、第２の状態（利用者が第１の部材及び第２の部材に接触している状態）においては、導通状態に置かれるので、第１の部材と第２の部材が導通状態である場合には歩数計の筐体に対する接触の有と検出することができる。
【００４２】
図４は、導通状態検出回路の一例を示す図である。
【００４３】
歩数計の筐体を構成する導電性の第１の部材（例えば表示面側ケース１）と導電性の第２の部材（例えば本体側ケース４）は、利用者が歩数計を把持していない状態においては絶縁状態に置かれている。
【００４４】
導電性の第１の部材（例えば表示面側ケース１）と導電性の第２の部材（例えば本体側ケース４）は、リード線７を介して電池６の異なる電極２１，２２に接続されている。またリード線７一部に導通状態検出回路１１が接続されている。
【００４５】
導通状態検回路１１は、リード線７の第１の電極２１と第１の部材１の間又は第１の電極とは極性の異なる第２の電極２２と第２の部材４の間のいずれかに接続されてもよい。
【００４６】
導通状態検回路１１は、例えば抵抗３１とコンパレーター３２等を含み、抵抗３１にかかる電圧をコンパレーター３２で基準電圧と比較して、抵抗値と基準電圧の比較結果信号３３を出力してもよい。そして接触検出部は、比較結果信号３３に基づき、筐体に対する利用者の接触の有無を検出するようにしてもよい。
【００４７】
利用者が筐体（外装）を把持した場合には、抵抗値が変化すること、言い換えれば抵抗値と基準電圧との比較結果が変化することで、演算制御処理用コントローラーが導通状態を検出できるようになっている。これにより、演算制御処理用コントローラーは人が触ったことを判別することが出来、外乱除去を行う事ができる。
【００４８】
なお導通状態検回路１１の構成は図６の構成に限られず、静電容量センサー、又は抵抗膜センサー等を用いて導通状態を検出する構成でもよい。
【００４９】
図５は、本実施形態の歩数計の構成図である。図６は、本実施の形態のモジュール基板配置図（表面側の配置）である。
【００５０】
歩数計１００の筐体（外装）は、人が触ると抵抗値が変化するような導電性の材質を有する表示面側ケース１（第１の部材の一例）と、本体側ケース４（第２の部材の一例）とで収納ケースを形成している。
【００５１】
前記収納ケース内には、ＬＣＤパネル２、バックライト２０、モジュール基板３、電池ボックス６等がそれぞれ接続されて収納されている。
【００５２】
前記モジュール基板３上には、ユーザーインターフェース用コントローラー１０、演算制御処理用コントローラー８、加速度センサー９と、導通状態検出回路１１とが配置されている。
【００５３】
加速度センサー９と導通状態検出回路１１は、演算制御処理用コントローラー８に接続されている。演算制御処理用コントローラー８は、加速度値と筐体（外装）の抵抗値を取得することが出来るようになっている。演算制御処理用コントローラー８は取得した加速度値を処理することで歩数情報を算出する。また演算制御処理用コントローラー８は、取得した抵抗値に基づいて導通状態の有無を判断し、導通状態の間は取得した加速度値に基づいてカウントした歩数の出力歩数へ反映させないようにしてもよい。
【００５４】
演算制御処理用コントローラー８に接続されたユーザーインターフェース用コントローラー１０は、利用者のスイッチ１９（図１参照）等の操作入力に応じて演算制御処理用コントローラー８が演算した歩数情報（出力歩数情報）を取得し、ＬＣＤパネル２に表示する。またユーザーインターフェース用コントローラー１０は、取得した抵抗値に基づいて導通状態の有無を判断し、判断結果に基づいて出力歩数のＬＣＤパネル２への表示の有無等を制御する表示制御を行っても良い。またユーザーインターフェース用コントローラー１０は、取得した抵抗値に基づいて導通状態の有無を判断し、判断結果に基づいてバックライトの照明の有無、又はバックライトの照明の強弱等を制御するバックライト制御を行っても良い。
【００５５】
また、前記筐体（外装）を構成する表示面側ケース１（導電性の第１の部材の一例）と本体側ケース４（導電性の第２の部材の一例）は、それぞれ極性の異なる電極に接続されており、表示面側ケース１と本体側ケース４と導通状態検出回路１１と間はリード線７で接続されている。導通状態検出回路１１は、表示面側ケース１と本体側ケース４との導通状態を検出する。
【００５６】
２．筐体を構成する第１の部材と第２の部材の変形例
上記実施の形態では、歩数計の筐体を構成する第１の部材と第２の部材が表示面側ケースと、本体側ケースである場合を例にとり説明したが、それに限られない。
【００５７】
図７、図８、図９は、筐体を構成する第１の部材と第２の部材の他の例を示す図である。
【００５８】
例えば歩数計の筐体３００が第１の面（表面）３１２、第２の面（裏面）３２２、第３の面（縦方向の左側面）３１４、第４の面（縦方向の右側面）３２４、第５の面（横方向の左側面）３１６、第６の面（横方向の右側面）３２６からなる六面体（略直方体）である場合に、第１の面（表面）３１２と第２の面（裏面）３２２は対となる面であり、第３の面（縦方向の左側面）３１４と第４の面（縦方向の右側面）３２４は対となる面であり、第５の面（横方向の左側面）３１６、第６の面（横方向の右側面）３２６は対となる面である。
【００５９】
このような場合に、互いに対向して対となる面が異なる電極に接続にされるように構成してもよい。すなわち第１の面（表面）３１２と第２の面（裏面）３２２は異なる電極に接続にされるように構成してもよい。また、第３面（縦方向の左側面）３１４と第４の面（縦方向の右側面）３２４は異なる電極に接続にされるように構成してもよい。また、第５面（横向の左側面）３１６と第６の面（横向の右側面）３２６は異なる電極に接続にされるように構成してもよい。
【００６０】
また例えば第１の面（表面）３１２と第３面（縦方向の左側面）３１４と第５の面（横向の左側面）３１６が一体的な部材（例えば第１の部材３１０）として構成され、第２の面（裏面）３２２と第４の面（縦方向の右側面）３２４と第６の面（横向の右側面）３２６一体的な部材（例えば第２の部材３２０）として構成されてもよい。ここで第１の部材３１０と第２の部材３２０はそれぞれ極性の異なる電極２１，２２に接続されている。
【００６１】
また第１の部材と第２の部材を六面体の対面に設けてもよい。例えば、図８に示すように、第１の面（表面）３１２を導電性の部材で構成し（第１の部材）、第２の面（裏面）３２２を導電性の部材で構成し（第２の部材）、第１の面３１２（第１の部材）と第２の面３２２（第２の部材）を、それぞれ極性の異なる電極２１，２２に接続してもよい。また例えば、図９に示すように、第３の面（縦方向の左側面）３１４を導電性の部材で構成し（第１の部材）、第４の面（縦方向の右側面）３２４を導電性の部材で構成し（第２の部材）、第３の面３１４（第１の部材）と第４の面３２４（第２の部材）を、それぞれ極性の異なる電極２１、２２に接続してもよい。
このように、互いに対向して対となる２つの面をそれぞれ第１の部材と第２の部材とに構成することで、利用者が筐体を保持したときに自然に第１の部材と第２の部材との両方に触れる。この場合、第１の部材と第２の部材とは必ずしも平行な面である必要はない。また、筐体は六面体に限定されない。利用者が筐体を保持したときに自然に触れる２つの部材であればよい。このような構成により利用者が筐体に保持している状態を容易に検出できる。
【００６２】
３．携帯情報機器の構成
図１０は、本実施形態の携帯情報機器の構成を示す図である。
【００６３】
本実施形態の携帯情報機器は、図１０の構成要素（各部）の一部を省略したり、他の構成要素を付加した構成としてもよい。前記携帯情報機器は、例えば携帯電話、ＰＨＳ端末、スマートフォン、ＰＤＡ、携帯型ゲーム機、携帯型マルチメディアプレーヤー等でもよい。
【００６４】
図１０に示すように、本実施形態の携帯情報機器は、加速度センサー１１０、接触検出部１２０、処理部（ＣＰＵ：Central Processing Unit）１３０、操作部１４０、記憶部１５０、記録媒体１６０、表示部１７０、通信部１８０を含んで構成されている。
【００６５】
操作部１４０は、操作キーやボタンスイッチ等により構成される入力装置であり、利用者による操作に応じた操作信号を処理部（ＣＰＵ）１３０に出力する。
【００６６】
記憶部１５０は、処理部（ＣＰＵ）１３０が各種の計算処理や制御処理を行うためのプログラムやデータ等を記憶している。
【００６７】
通信部１８０はアンテナ１８２等を含み、他の通信機器との通信を行う。
【００６８】
加速度センサー１１０は３軸の変位加速度（例えば３軸の変位加速度でもよい）を検出して加速度データとしてＣＰＵ１３０に送信してもよい。
【００６９】
接触検出部１２０は、携帯情報機器１００の筐体に対する利用者の接触の有無を検出するもので、例えば携帯情報機器１００の筐体を構成する第１の部材と第２の部材との導通状態を検出し、導通状態の検出結果に基づき、筐体に対する利用者の接触の有無を検出して、接触検出結果としてＣＰＵ１３０に送信してもよい。また接触検出部１２０は、筐体の外装を人がさわったことを検出するセンサー等で構成してもよい。
【００７０】
また、記憶部１５０は、処理部（ＣＰＵ）１３０の作業領域として用いられ、操作部１４０から入力されたデータ、情報記憶媒体１６０から読み出されたプログラムやデータ、処理部（ＣＰＵ）１３０が各種プログラムに従って実行した演算結果等を一時的に記憶するためにも使用される。
【００７１】
処理部（ＣＰＵ）１３０は、記憶部１５０や記録媒体１６０に記憶されているプログラムに従って、各種の計算処理や制御処理を行う。具体的には、処理部（ＣＰＵ）１３０は、加速度データや接触検出結果を受け取って各種の計算処理を行う。また、処理部（ＣＰＵ）１３０は、操作部１４０からの操作信号に応じた各種の処理、表示部１７０に各種の情報を表示させる処理等を行う。
【００７２】
特に、本実施形態では、処理部（ＣＰＵ）１３０は、歩数演算部１３２、表示制御部１３４、バックライト制御部１３６、通信制御部１３８を含む。ただし、本実施形態の処理部（ＣＰＵ）１３０は、これらの一部の構成（要素）を省略したり、他の構成（要素）を追加した構成としてもよい。
【００７３】
歩数演算部１３２は、加速度センサー１１０の検出結果に基づき歩数をカウントし、カウント値に基づき出力歩数を演算するもので、携帯情報機器１００の筐体に対する接触が検出された場合には、前記歩行動作の検出結果に基づき歩数をカウントする処理、又はカウント値を出力歩数に反映させる処理をおこなわない。歩行動作検出部（加速度センサー等）の検出値に基づき演算された歩数を出力歩数に反映させない期間は、接触が検出されてから所定の期間でも良いし、接触が検出されている期間でもよい。
【００７４】
表示制御部１３４は、表示部１７０に対する表示制御を行うもので、携帯情報機器１００の筐体に対する接触の有無に応じて、表示部への出力歩数の表示の有無を制御する。携帯情報機器１００の筐体に対する接触が検出された場合には、表示部１７０に出力歩数を表示する制御を行ってもよい。
【００７５】
またバックライト制御部１３６は、表示部１７０を構成する液晶を背面から照らすバックライトの照明を制御するもので、携帯情報機器１００の筐体に対する接触の有無に応じて、機器の筐体に対する接触の有無に応じて、バックライト照明点灯の有無、又は照明の強弱の制御を行う。携帯情報機器１００の筐体に対する接触が検出された場合に、バックライトで液晶を照らす照明制御を行ってもよい。なおバックライトの照明の強弱をコントロールできる場合には、携帯情報機器１００の筐体に対する接触が検出された場合には、検出されていない場合に比べてバックライトの照明の強度を強くしてもよい。
【００７６】
通信制御部１３８は、他の通信機器との通信を行う際の通信制御を行う。
【００７７】
記録媒体１６０は、コンピューター読み取り可能な記録媒体であり、特に本実施形態では、コンピューターを上記の各部として機能させるためのプログラムが記憶されている。そして、本実施形態の処理部（ＣＰＵ）１３０は、記録媒体１６０に記憶されているプログラムを実行することで、歩数演算部１３２、表示制御部１３４、バックライト制御部１３６、通信制御部１３８としてコンピューターを機能させる。あるいは、通信部１８０等を介して有線又は無線の通信ネットワークに接続されたサーバーからプログラムを受信し、受信したプログラムを記憶部１５０や記録媒体１６０に記憶してプログラムを実行するようにしてもよい。また歩数演算部１３２、表示制御部１３４、バックライト制御部１３６、通信制御部１３８の少なくとも一部をハードウェア（専用回路）で実現してもよい。
【００７８】
なお、記録媒体１６０は、例えば、光ディスク（ＣＤ、ＤＶＤ）、光磁気ディスク（ＭＯ）、磁気ディスク、ハードディスク、磁気テープ、メモリー（ＲＯＭ、フラッシュメモリーなど）により実現することができる。
【００７９】
表示部１７０は、ＬＣＤ（Liquid Crystal Display）等により構成される表示装置であり、処理部（ＣＰＵ）１３０から入力される表示信号に基づいて各種の情報を表示する。
【００８０】
本発明は本実施形態に限定されず、本発明の要旨の範囲内で種々の変形実施が可能である。
【００８１】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００８２】
１  表示面ケース、２  ＬＣＤパネル、３ モジュール基板、４ 本体ケース、６  電池ボックス、７  リード線、８  演算制御処理用コントローラー、９  加速度センサー、１０  ユーザーインターフェース用コントローラー、１１  導通状態検回路、１３  EEPROM、１４  発振回路、１８  ＬＣＤ、１９  スイッチ、１００  携帯情報機器、１１０  加速度センサー、１２０  接触検出部、１３０  処理部（ＣＰＵ）、１３２  歩数演算部、１３４  表示制御部、１３６  バックライト制御部、１３８  通信制御部、１４０  操作部、１５０  記憶部、１６０  記録媒体、１７０  表示部、１８０  通信部
【図１】
2013214226.tif 000003
【図２】
2013214226.tif 000004
【図３】
2013214226.tif 000005
【図４】
2013214226.tif 000006
【図５】
2013214226.tif 000007
【図６】
2013214226.tif 000008
【図７】
2013214226.tif 000009
【図８】
2013214226.tif 000010
【図９】
2013214226.tif 000011
【図１０】
2013214226.tif 000012